(57)【特許請求の範囲】
【請求項１】
冷媒圧縮機と、四方弁と、室内熱交換器と、膨張装置と、室外熱交換器とを冷媒配管で連通し、冷媒として非共沸混合冷媒を用いる空気調和機において、
前記室外熱交換器の着霜状態を検知する着霜検知部と、
暖房運転時に前記室外熱交換器から流出して前記冷媒圧縮機に吸込まれる冷媒を加熱する加熱手段と、
前記冷媒圧縮機に吸込まれる冷媒の吸込温度であり、前記加熱手段で加熱された後の冷媒の温度を検知する吸込温度検知部と、
前記冷媒圧縮機から吐出された冷媒の一部を暖房運転時の前記室外熱交換器の冷媒入口側に導くバイパス通路と、
暖房運転時に前記着霜検知部により検知された着霜状態の値が所定値以上となった場合に、前記室外熱交換器から流出して前記冷媒圧縮機に吸込まれる冷媒を前記加熱手段により加熱するとともに、前記吸込温度検知部の検出値が設定値になるように前記膨張装置の開度を大きくして、前記室外熱交換器の冷媒入口側で吸熱を行うとともに冷媒出口側では吸熱を行わないように制御し、かつ、前記冷媒圧縮機に吸込まれる冷媒の吸込温度が所定温度以下となった場合或いは前記着霜検知部により検知された着霜状態の値が第２の所定値以上となった場合に前記加熱手段による加熱を停止して前記冷媒圧縮機から吐出される冷媒の一部を前記バイパス通路を通して前記室外熱交換器の冷媒入口側から流入させるように制御する制御部と、
を備えることを特徴とする空気調和機。
【請求項２】
前記加熱手段は、前記冷媒圧縮機の周囲に配置され、前記冷媒圧縮機の排熱を用いて前記冷媒を加熱する排熱利用熱交換器であることを特徴とする請求項１記載の空気調和機。
【請求項３】
前記加熱手段は、前記冷媒圧縮機から吐出される冷媒の一部を前記室外熱交換器から流出した冷媒と合流させる第２バイパス通路であることを特徴とする請求項１記載の空気調和機。
【請求項４】
前記室外熱交換器内の冷媒が流れる流路は、暖房運転時において冷媒が前記室外熱交換器の下部側から上部側に向けて流れるように形成されていることを特徴とする請求項１ないし３のいずれか一項に記載の空気調和機。
【発明の詳細な説明】
【技術分野】
【０００１】
本発明は、空気調和機に関し、特に、冷媒として非共沸混合冷媒を用いた空気調和機に関する。
【背景技術】
【０００２】
外気温が低温（例えば、１〜３℃）の場合に空気調和機を暖房運転すると、外気から吸熱して冷媒を気化させる室外熱交換器の表面に着霜する場合がある。室外熱交換器の表面に着霜すると、冷媒を気化させるための吸熱作用が低下し、暖房性能が低下する。
【０００３】
なお、冷媒として非共沸混合冷媒を用いた場合には、冷媒の乾き度が大きくなるにつれて蒸発温度が上昇する。このため、室外熱交換器の冷媒入口側と冷媒出口側とを比較すると、冷媒の乾き度が小さい冷媒入口側では、冷媒出口側に比べて冷媒の気化が促進されるとともに着霜が発生しやすい。
【０００４】
このようなことから、下記特許文献１，２には、室外熱交換器の冷媒入口側の着霜状態を検出し、冷媒入口側の着霜を検出した場合には、冷媒圧縮機から吐出された高温の冷媒を室外熱交換器の冷媒入口側から流入させ、その冷媒の熱を利用して除霜するようにした発明が記載されている。
【０００５】
室外熱交換器の冷媒入口側から高温冷媒を流入させて室外熱交換器の除霜を行なう場合、室外熱交換器の冷媒入口側では冷媒と空気との温度差が大きいために容易に除霜することができるが、室外熱交換器の冷媒出口側に近づくにつれて冷媒と空気との温度差が小さくなり、除霜が困難になるとともに除霜に要する時間が長くなる。そのため、特許文献１，２に記載された発明では、室外熱交換器の冷媒入口側に着霜した段階で高温の冷媒を室外熱交換器の冷媒入口側に流入させて除霜を開始し、除霜時間の短縮を図ろうとしている。
【先行技術文献】
【特許文献】
【０００６】
【特許文献１】特開平７−１５１４２６号公報
【特許文献２】特開平７−１０３６２３号公報
【発明の概要】
【発明が解決しようとする課題】
【０００７】
しかし、着霜が問題となる外気温（例えば、１〜３℃）の条件下では、室外熱交換器の全域を使用して吸熱することが最も吸熱効率が良いことから、適切に設計された室外熱交換器内の冷媒温度は、温度グライド終端（蒸発終了）においても０℃を下回り、室外熱交換器の冷媒入口側が最も着霜量が多いものの、室外熱交換器の全域において着霜する状態となる。
【０００８】
このような状態において、特許文献１，２に記載された発明では、頻繁に除霜運転が行なわれて暖房運転が中断されるとともに、室外熱交換器の冷媒入口側の除霜には有効であるが室外熱交換器の冷媒出口側では除霜しにくく、除霜時間が長くなるといえる。
【０００９】
本発明はこのような課題を解決するためになされたもので、その目的は、室外熱交換器の着霜を冷媒入口側のみに留め、除霜運転の頻度を少なくするとともに除霜運転を短時間で終了させることができる空気調和機を提供することである。
【課題を解決するための手段】
【００１０】
本発明の実施の形態に係る特徴は、冷媒圧縮機と、四方弁と、室内熱交換器と、膨張装置と、室外熱交換器とを冷媒配管で連通し、冷媒として非共沸混合冷媒を用いる空気調和機において、前記室外熱交換器の着霜状態を検知する着霜検知部と、暖房運転時に前記室外熱交換器から流出して前記冷媒圧縮機に吸込まれる冷媒を加熱する加熱手段と、前記冷媒圧縮機に吸込まれる冷媒の吸込温度であり、前記加熱手段で加熱された後の冷媒の温度を検知する吸込温度検知部と、前記冷媒圧縮機から吐出された冷媒の一部を暖房運転時の前記室外熱交換器の冷媒入口側に導くバイパス通路と、暖房運転時に前記着霜検知部により検知された着霜状態の値が所定値以上となった場合に、前記室外熱交換器から流出して前記冷媒圧縮機に吸込まれる冷媒を前記加熱手段により加熱するとともに、前記吸込温度検知部の検出値が設定値になるように前記膨張装置の開度を大きくして、前記室外熱交換器の冷媒入口側で吸熱を行うとともに冷媒出口側では吸熱を行わないように制御し、かつ、前記冷媒圧縮機に吸込まれる冷媒の吸込温度が所定温度以下となった場合或いは前記着霜検知部により検知された着霜状態の値が第２の所定値以上となった場合に前記加熱手段による加熱を停止して前記冷媒圧縮機から吐出される冷媒の一部を前記バイパス通路を通して前記室外熱交換器の冷媒入口側から流入させるように制御する制御部と、を備えることである。
【発明の効果】
【００１１】
本発明によれば、室外熱交換器の着霜を冷媒入口側のみに留めることができ、除霜運転の頻度を少なくするとともに除霜運転を短時間で終了させることができる。
【図面の簡単な説明】
【００１２】
【図１】本発明の第１の実施の形態の空気調和機を示す模式図である。
【図２】室外熱交換器内の流路構成を示す断面図である。
【図３】本発明の第２の実施の形態の空気調和機を示す模式図である。
【発明を実施するための形態】
【００１３】
以下、本発明の実施の形態を図面を用いて説明する。
【００１４】
（第１の実施の形態）
本発明の第１の実施の形態を、図１及び図２に基づいて説明する。空気調和機１は、図１に示すように、冷媒圧縮機２と、四方弁３と、室内熱交換器４と、膨張装置５と、室外熱交換器６とを有し、これらの各部材が冷媒配管７で連通され、冷媒として非共沸混合冷媒が用いられている。さらに、空気調和機１は、着霜検知部として機能する温度センサ８と、加熱手段である排熱利用熱交換器９と、吸込温度検知部である過熱度センサ１０と、バイパス通路１１と、第１切換弁１２と、第２切換弁１３と、第３切換弁１４と、減圧装置１５と、制御部１６とを備えている。
【００１５】
冷媒圧縮機２は、空気調和機１内を循環する冷媒を吸込むとともに吸込んだ冷媒を圧縮して高温高圧状態とし、高温高圧になった冷媒を四方弁３に向けて吐出する。
【００１６】
四方弁３は、冷媒圧縮機２から吐出された高温高圧の冷媒の流れ方向を、暖房運転時には室内熱交換器４となるように切換え、冷房運転時には室外熱交換器６となるように切換える。
【００１７】
室内熱交換器４は、室内に設置され、図示しないファンによる送風を受け、暖房運転時には凝縮器として機能して室内に放熱し、冷房運転時には蒸発器として機能して室内から吸熱する。
【００１８】
膨張装置５は、凝縮器として機能する室内熱交換器４又は室外熱交換器６で凝縮されて液化した冷媒を減圧し、蒸発器として機能する室外熱交換器６又は室内熱交換器４に送り出す。
【００１９】
室外熱交換器６は、室外に設置され、図示しないファンによる送風を受け、暖房運転時には蒸発器として機能して外気から吸熱し、冷房運転時には凝縮器として機能して外気中に放熱する。
【００２０】
冷媒配管７は、冷媒圧縮機２と、四方弁３と、室内熱交換器４と、膨張装置５と、室外熱交換器６とを連通して冷媒が流れる配管である。この冷媒配管７における室外熱交換器６と四方弁３との間には、冷媒の流れを断続する第１切換弁１２が設けられている。
【００２１】
着霜検知部として機能する温度センサ８は、室外熱交換器６の冷媒入口側の温度を検知し、検知した値を制御部１６に送信する。制御部１６では、温度センサ８で検知した値に基づき、暖房運転時における室外熱交換器６の表面の着霜状態を判断する。
【００２２】
加熱手段である排熱利用熱交換器９は、暖房運転時に室外熱交換器６から流出した冷媒を、冷媒圧縮機２からの排熱を利用して加熱する。排熱利用熱交換器９は、冷媒が流れる冷媒配管７ａの一部を冷媒圧縮機２の回りに巻付けるように配管することにより形成されている。冷媒配管７ａは、一端が冷媒配管７における室外熱交換器６と第１切換弁１２との間に接続され、他端が冷媒配管７における冷媒圧縮機２の入口側に接続されている。冷媒配管７ａの途中には、冷媒配管７ａ内の冷媒の流れを断続する第２切換弁１３が設けられている。
【００２３】
吸込温度検知部である過熱度センサ１０は、冷媒圧縮機２の入口側に設けられ、冷媒圧縮機２に吸込まれる冷媒の吸込温度を検知する。
【００２４】
バイパス通路１１は、冷媒圧縮機２から吐出された冷媒の一部を暖房運転時の室外熱交換器６の冷媒入口側に導く通路であり、一端が冷媒配管７における冷媒圧縮機２の出口側に接続され、他端が冷媒配管７における室外熱交換器６の入口側に接続されている。バイパス通路１１の途中には、バイパス通路１１内の冷媒の流れを断続する第３切換弁１４と、バイパス通路１１内を流れる冷媒を減圧する減圧装置１５とが設けられている。
【００２５】
制御部１６には、四方弁３、膨張装置５、温度センサ８、過熱度センサ１０、第１切換弁１２、第２切換弁１３、第３切換弁１４が接続されている。制御部１６は、暖房運転又は冷房運転に応じた四方弁３の切換制御、温度センサ８や過熱度センサ１０の検知結果に応じた膨張装置５の開度調整や第１〜第３切換弁１２，１３，１４の開閉制御を行なう。
【００２６】
室外熱交換器６内の冷媒が流れる流路１７は、図２に示すように、暖房運転時の冷媒が室外熱交換器６の下部側から上部側に向けて流れるように形成されている。
【００２７】
このような構成において、室外熱交換器６の表面への着霜が問題となるような外気温（例えば、１〜３℃）の条件下で空気調和機１を暖房運転した場合の制御について説明する。
【００２８】
暖房運転を開始すると、冷媒圧縮機２から吐出される高温高圧の冷媒が室内熱交換器４に向けて流れるように四方弁３が切換えられる。また、暖房運転の開始時には、第１切換弁１２が開弁され、第２切換弁１３と第３切換弁１４とが閉弁されている。
【００２９】
このため、冷媒圧縮機２から吐出された高温高圧の冷媒は、四方弁３を経由して室内熱交換器４内に流入し、室内の空気と熱交換して凝縮され、室内空気を加熱する。室内熱交換器４内で凝縮されて液化した冷媒は、膨張装置５で減圧された後に室外熱交換器６内に流入する。室外熱交換器６内に流入した液体の冷媒は、外気と熱交換して蒸発し、蒸発して気体となった冷媒が室外熱交換器６から流出するとともに四方弁３を経由して冷媒圧縮機２内に吸込まれる。冷媒圧縮機２内に吸込まれた冷媒は圧縮されて再び高温高圧の冷媒となり、四方弁３を経由して室内熱交換器４内に流入する。
【００３０】
暖房運転時において室外熱交換器６の表面に着霜する場合があり、室外熱交換器６における着霜状態は温度センサ８により検知されている。温度センサ８により検知された着霜状態を示す値が設定値以上となった場合（検知温度が所定温度以下になった場合）には、室外熱交換器６から流出して冷媒圧縮機２に吸込まれる冷媒を排熱利用熱交換器９で加熱する運転が、制御部１６により実行される。
【００３１】
冷媒圧縮機２に吸込まれる冷媒を加熱する運転時には、第１切換弁１２が閉弁されるとともに第２切換弁１３が開弁され、第３切換弁１４は閉弁状態に維持される。これにより、室外熱交換器６から流出した冷媒は、冷媒配管７ａ内を流れて排熱利用熱交換器９に至り、排熱利用熱交換器９で加熱された後に冷媒圧縮機２内に吸込まれる。
【００３２】
冷媒圧縮機２内に吸込まれる冷媒の温度は過熱度センサ１０により検知されており、制御部１６は、過熱度センサ１０の検出値が設定値になるように膨張装置５の開度を調整する。具体的には、排熱利用熱交換器９により加熱されて冷媒圧縮機２内に吸込まれる冷媒の温度が設定値より上昇した場合には、膨張装置５の開度を大きくし、室外熱交換器６内に流入する冷媒の量を多くし、冷媒圧縮機２に吸込まれる冷媒の過熱度が一定になるように制御する。その結果、室外熱交換器６内での冷媒の蒸発圧力及び蒸発温度が上昇する。室外熱交換器６内での蒸発温度が上昇すると、室外熱交換器６の冷媒出口側では、０℃以上の外気温と略同一になり、吸熱することがなくなる。このため、室外熱交換器６の冷媒出口側では着霜が発生せず、既に着霜している霜がある場合にはその霜が外気により除霜される状態となる。
【００３３】
このように、冷媒圧縮機２内に吸込まれる冷媒を排熱利用熱交換器９で加熱している場合には、室外熱交換器６の冷媒入口側で吸熱を行いながら、着霜域を室外熱交換器６の冷媒入口側に限定した暖房運転となる。したがって、温度センサ８が室外熱交換器６の着霜を検出した場合でも、直ちに除霜運転を行うことなく暖房運転を継続することができる。しかも、冷媒圧縮機２内に吸込まれる冷媒の温度が設定値に維持されるため、暖房性能は温度センサ８が着霜状態を検知する前と同じ状態に維持される。
【００３４】
外気温の低下等により室外熱交換器６の着霜状態が進行した場合には、室外熱交換器６の冷媒入口側での吸熱性能が低下し、排熱利用熱交換器９で加熱しても冷媒圧縮機２内に吸込まれる冷媒の温度が次第に下がる。そして、冷媒圧縮機２内に吸込まれる冷媒の吸込温度が所定温度以下になったことを過熱度センサ１０が検知した場合には、室外熱交換器６に着霜した霜を除霜する除霜運転が制御部１６により実行される。
【００３５】
この除霜運転時には、第１切換弁１２が開弁され、第２切換弁１３が閉弁され、第３切換弁１４が開弁される。
【００３６】
これにより、一方では、室外熱交換器６から流出した冷媒の排熱利用熱交換器９による加熱が停止される。他方では、冷媒圧縮機２から吐出された高温高圧の冷媒の一部が、バイパス通路１１を経由して減圧装置１５により減圧された後に室外熱交換器６の冷媒入口側に導かれ、室外熱交換器６内に流入する。冷媒圧縮機２から吐出された高温の冷媒が室外熱交換器６の冷媒入口側に流入すると、冷媒の熱によって室外熱交換器６に着霜している霜が除霜される。
【００３７】
室外熱交換器６内に流入した高温の冷媒は、室外熱交換器６の冷媒出口側に進行するにつれて温度が下がり、除霜性能が低下する。しかし、室外熱交換器６における着霜域が冷媒入口側に限定されているため、室外熱交換器６の冷媒出口側で除霜を行う必要が無く、除霜を短時間で行えるようになる。
【００３８】
また、室外熱交換器６内の冷媒が流れる流路１７は、図２に示すように、暖房運転時の冷媒が下部側（冷媒入口側）から上部側（冷媒出口側）に向けて流れるように形成されている。このため、冷媒は、室外熱交換器６の下部側から流路１７内に流入し、上部側へ流れる。したがって、排熱利用熱交換器９で冷媒を加熱し、室外熱交換器６の冷媒出口側で着霜を抑制するとともに室外熱交換器６の冷媒出口側（室外熱交換器６の上部側）を外気により除霜した場合、除霜により発生した水が下方へ流れ落ち、流れ落ちた水によって室外熱交換器６の下部側（冷媒入口側）の霜を溶かすことができる。これにより、バイパス通路１１を介して高温の冷媒を室外熱交換器６の冷媒入口側に流入させて室外熱交換器６の除霜を行なう除霜運転時において、除霜に要する熱量を少なくすることができるとともに除霜運転時間をより一層短くすることができる。
【００３９】
なお、本実施の形態では、冷媒圧縮機２内に吸込まれる冷媒の吸込温度が所定温度以下になったことを過熱度センサ１０が検知した場合に、排熱利用熱交換器９による冷媒の加熱を停止するとともに冷媒圧縮機２から吐出された冷媒の一部をバイパス通路１１を通して室外熱交換器６の冷媒入口側から流入させることにより、室外熱交換器９に着霜した霜を除霜するようにしている。しかし、温度センサ８により検知された室外熱交換器６の着霜状態を示す値が第２の設定値以上となった場合に、排熱利用熱交換器９による冷媒の加熱を停止するとともに冷媒圧縮機２から吐出された冷媒の一部をバイパス通路１１を通して室外熱交換器６の冷媒入口側から流入させ、室外熱交換器６の除霜を行なうようにしていもよい。
【００４０】
（第２の実施の形態）
本発明の第２の実施の形態を図３に基づいて説明する。なお、第１の実施の形態の構成要素と同じ構成要素には同じ符号を付け、重複する説明は省略する。
【００４１】
第２の実施の形態の空気調和機１Ａの基本的な構成は第１の実施の形態の空気調和機１と同じであり、異なる点は、暖房運転時に室外熱交換器６から流出して冷媒圧縮機２に吸込まれる冷媒を加熱する加熱手段の構成である。
【００４２】
第２の実施の形態では、加熱手段として、冷媒圧縮機２から吐出された冷媒の一部を室外熱交換器６から流出した冷媒と合流させる第２バイパス通路１８を設けた点である。第２バイパス通路１８は、一端が冷媒配管７における室外熱交換器６と四方弁３との間の部分に接続され、他端がバイパス通路１１の途中に接続されている。
【００４３】
第２バイパス通路１８の途中には、第２バイパス通路１８内の冷媒の流れを断続する第４切換弁１９と、第２バイパス通路１８内を流れる冷媒を減圧する減圧装置２０とが設けられている。
【００４４】
第２の実施の形態では、制御部１６に代えて制御部１６Ａが設けられており、この制御部１６Ａには、四方弁３、膨張装置５、温度センサ８、過熱度センサ１０、第３切換弁１４、第４切換弁１９が接続されている。制御部１６Ａは、暖房運転又は冷房運転に応じた四方弁３の切換制御、温度センサ８や過熱度センサ１０の検知結果に応じた膨張装置５の開度調整や第３，第４切換弁１４，１９の開閉制御を行なう。
【００４５】
このような構成において、室外熱交換器６の着霜が問題となるような外気温（例えば、１〜３℃）の条件下で空気調和機１Ａを暖房運転した場合の制御について説明する。
【００４６】
暖房運転を開始すると、冷媒圧縮機２から吐出される高温高圧の冷媒が室内熱交換器４に向けて流れるように四方弁３が切換えられる。また、暖房運転の開始時には、第３切換弁１４と第４切換弁１９とは閉弁されている。
【００４７】
このため、冷媒圧縮機２から吐出された高温高圧の冷媒は、四方弁３を経由して室内熱交換器４内に流入し、室内の空気と熱交換して凝縮され、室内空気を加熱する。室内熱交換器４内で凝縮されて液化した冷媒は、膨張装置５で減圧された後に室外熱交換器６内に流入する。室外熱交換器６内に流入した液体の冷媒は、外気と熱交換して蒸発し、蒸発して気体となった冷媒が室外熱交換器６から流出するとともに四方弁３を経由して冷媒圧縮機２内に吸込まれる。冷媒圧縮機２内に吸込まれた冷媒は圧縮されて再び高温高圧の冷媒となり、四方弁３を経由して室内熱交換器４内に流入する。
【００４８】
暖房運転時において室外熱交換器６の表面に着霜する場合があり、室外熱交換器６における着霜状態は温度センサ８により検知されている。温度センサ８により検知された着霜状態を示す値が設定値以上となった場合には、室外熱交換器６から流出した冷媒と、冷媒圧縮機２から吐出されて第２バイパス通路１８を流れた高温の冷媒とを合流させ、冷媒圧縮機２に吸込まれる冷媒を加熱する運転が、制御部１６Ａにより実行される。
【００４９】
冷媒圧縮機２に吸込まれる冷媒を加熱する運転時には、第４切換弁１９が開弁され、第３切換弁１４は閉弁状態に維持される。これにより、冷媒圧縮機２から吐出されて第２バイパス通路１８内を流れた高温の冷媒が室外熱交換器６から流出した冷媒と合流し、冷媒圧縮機２内に吸込まれる冷媒の温度が上昇する。
【００５０】
冷媒圧縮機２内に吸込まれる冷媒の温度は過熱度センサ１０により検知されており、制御部１６Ａは、過熱度センサ１０の検出値が設定値になるように膨張装置５の開度を調整する。具体的には、第２バイパス通路１８を流れた冷媒と合流することにより加熱されて冷媒圧縮機２内に吸込まれる冷媒の温度が設定値より上昇した場合には、膨張装置５の開度を大きくし、室外熱交換器６内に流入する冷媒の量を多くし、室外熱交換器６内での蒸発温度を上昇させる。室外熱交換器６内での蒸発温度が上昇すると、室外熱交換器６の冷媒出口側では、０℃以上の外気温と略同一になり、吸熱することがなくなる。このため、室外熱交換器６の冷媒出口側では着霜が発生せず、既に着霜している霜がある場合にはその霜が外気により除霜される状態となる。
【００５１】
このように、室外熱交換器６から流出して冷媒圧縮機２内に吸込まれる冷媒を第２バイパス通路１８を流れる高温の冷媒と合流させて加熱している場合には、室外熱交換器６の冷媒入口側での吸熱を行いながら、着霜域を室外熱交換器６の冷媒入口側に限定した暖房運転となる。したがって、温度センサ８が室外熱交換器６の着霜を検出した場合でも、直ちに除霜運転を行うことなく暖房運転を継続することができる。しかも、冷媒圧縮機２に吸込まれる冷媒の温度が設定値に維持されるため、暖房性能は温度センサ８が着霜状態を検知する前と同じ状態に維持される。
【００５２】
外気温の低下等により室外熱交換器６の着霜状態が進行した場合には、室外熱交換器６の冷媒入口側での吸熱性能が低下し、第２バイパス通路１８を流れる高温の冷媒と合流して冷媒圧縮機２内に吸込まれる冷媒の温度が次第に下がる。そして、冷媒圧縮機２内に吸込まれる冷媒の吸込温度が所定温度以下になったことを過熱度センサ１０が検知した場合には、室外熱交換器６に着霜した霜を除霜する除霜運転が制御部１６Ａにより実行される。
【００５３】
この除霜運転時には、第３切換弁１４が開弁され、第４切換弁１９が閉弁される。
【００５４】
これにより、冷媒圧縮機２から吐出された高温高圧の冷媒の一部は、バイパス通路１１を経由して減圧装置１５により減圧された後に室外熱交換器６の冷媒入口側に導かれ、室外熱交換器６内に流入する。冷媒圧縮機２から吐出された高温の冷媒が室外熱交換器６の冷媒入口側に流入すると、冷媒の熱によって室外熱交換器６に着霜している霜が除霜される。
【００５５】
室外熱交換器６内に流入した高温の冷媒は、室外熱交換器６の冷媒出口側に進行するにつれて温度が下がり、除霜性能が低下する。しかし、室外熱交換器６における着霜域が冷媒入口側に限定されているため、室外熱交換器６の冷媒出口側で除霜を行う必要が無く、除霜を短時間で行えるようになる。
【符号の説明】
【００５６】
１…空気調和機、１Ａ…空気調和機、２…冷媒圧縮機、３…四方弁、４…室内熱交換器、５…膨張装置、６…室外熱交換器、７…冷媒配管、８…着霜検知部（温度センサ）、９…加熱手段、排熱利用熱交換器、１０…吸込温度検知部（過熱度センサ）、１１…バイパス通路、１６…制御部、１６Ａ…制御部、１７…流路、１８…加熱手段、第２バイパス通路
【図１】
0005632629.tif 000002
【図２】
0005632629.tif 000003
【図３】
0005632629.tif 000004